(57)【要約】【課題】蓄積性蛍光体パネルの消去処理及び搬送処理を効率的に行うことができる消去方法及び装置を提供する。【解決手段】供給された蓄積性蛍光体パネル１２を消去ユニット２２ｂに載置して読取部１８まで搬送し、蓄積記録された放射線画像情報を読み取り、次いで、蓄積性蛍光体パネル１２を消去ユニット２２ａ、２２ｂにより挟持し、カセッテ装填部１６まで搬送するとともに、消去光源６４ａ〜６４ｇ、７６ａ〜７６ｇからの消去光を蓄積性蛍光体パネル１２に照射して、残存する放射線画像情報又はノイズの消去を行う。【選択図】図１
2006162637.tif 000002
【特許請求の範囲】
【請求項１】
放射線画像情報が蓄積記録される蓄積性蛍光体パネルに対して消去光を照射し、残存する放射線画像情報又はノイズを消去する消去方法において、
前記蓄積性蛍光体パネルの少なくとも一方の全面に前記消去光を照射し、前記蓄積性蛍光体パネルを搬送しながら消去処理を行うことを特徴とする消去方法。
【請求項２】
請求項１記載の方法において、
前記蓄積性蛍光体パネルの少なくとも一方の全面に前記消去光を照射する消去手段を前記蓄積性蛍光体パネルとともに移動させることを特徴とする消去方法。
【請求項３】
放射線画像情報が蓄積記録される蓄積性蛍光体パネルに対して消去光を照射し、残存する放射線画像情報又はノイズを消去する消去装置において、
前記蓄積性蛍光体パネルの少なくとも一方の全面に前記消去光を照射する消去手段を備え、
前記消去手段は、前記蓄積性蛍光体パネルとともに移動可能に構成されることを特徴とする消去装置。
【請求項４】
請求項３記載の装置において、
前記消去手段は、前記蓄積性蛍光体パネルを挟持する一対の消去ユニットから構成され、前記蓄積性蛍光体パネルを挟持して移動することを特徴とする消去装置。
【請求項５】
請求項３記載の装置において、
前記消去光を透過させる透光性部材からなる搬送ベルトを有し、前記搬送ベルトによって前記蓄積性蛍光体パネルを搬送する搬送手段を備え、
前記消去手段は、前記搬送ベルトを介して前記蓄積性蛍光体パネルに前記消去光を照射することを特徴とする消去装置。
【請求項６】
請求項３記載の装置において、
前記消去手段は、前記消去光を出力する発光体からなる搬送ベルトにより構成され、前記搬送ベルトは、前記蓄積性蛍光体パネルに対して前記消去光を照射するとともに、前記蓄積性蛍光体パネルを搬送することを特徴とする消去装置。
【請求項７】
請求項５又は６記載の装置において、
前記消去手段は、搬送される前記蓄積性蛍光体パネルの範囲に対応する部分から前記消去光を出力することを特徴とする消去装置。
【発明の詳細な説明】
【技術分野】
【０００１】
本発明は、蓄積性蛍光体パネルに残存する放射線画像情報又はノイズを消去する消去方法及び装置に関する。
【背景技術】
【０００２】
従来から、照射された放射線エネルギの一部を蓄積する一方、可視光等の励起光を照射することにより、蓄積された放射線エネルギに応じて輝尽発光する蓄積性蛍光体パネルを用いた放射線画像読取装置が知られている。
【０００３】
放射線画像読取装置は、例えば、人体等の被写体の放射線画像情報が蓄積記録された蓄積性蛍光体パネルを収納したカセッテが装填されるカセッテ装填部と、カセッテから取り出された蓄積性蛍光体パネルに励起光を照射して放射線画像情報を読み取る読取部と、放射線画像情報の読み取られた蓄積性蛍光体パネルに消去光を照射して残存する放射線画像情報やノイズを消去する消去部とを備えて構成される。なお、消去処理の完了した蓄積性蛍光体パネルは、カセッテに収納されて外部に排出され、再利用に供せられる。
【０００４】
ここで、特許文献１に開示された従来技術では、読取処理の終了した蓄積性蛍光体パネルを挟持して搬送するニップローラをアクリル等の透光性材料からなる中空円筒体により消去部を構成し、この中空円筒体の内部に消去光源を配設し、ニップローラにより蓄積性蛍光体パネルを挟持搬送しながら消去光源からの消去光を照射し、残存する放射線画像情報等を消去するようにしている。
【０００５】
また、特許文献２に開示された従来技術では、読取処理の終了した蓄積性蛍光体パネルを、複数のＬＥＤを二次元的に配列した消去用パネルに対向させて固定し、その状態で蓄積性蛍光体パネルの全面に所定時間消去光を照射して残存する放射線画像情報等を消去している。
【０００６】
【特許文献１】特開昭６１−１３７１４６号公報
【特許文献２】特開昭６２−９２９３２号公報
【発明の開示】
【発明が解決しようとする課題】
【０００７】
しかしながら、特許文献１の場合、消去光は、移動する蓄積性蛍光体パネルに対してライン状に照射されるため、十分な光量からなる消去光を蓄積性蛍光体パネルに付与するには、蓄積性蛍光体パネルの搬送速度を遅くするか、あるいは、消去光の照射強度を高く設定しなければならない。この場合、蓄積性蛍光体パネルの搬送速度を遅く設定すると消去処理に長時間を要し、また、消去光の照射強度を高く設定すると消去光源の寿命が短縮されてしまう不具合が生じる。
【０００８】
また、特許文献２の場合、蓄積性蛍光体パネルを消去用パネルに対向させて固定した状態で消去処理を行うため、消去処理が完了するまで蓄積性蛍光体パネルを装置から取り出す処理を開始することができない。例えば、レイアウトの都合等により、蓄積性蛍光体パネルの装填部と、消去用パネルが配設された消去部とが離間して構成されている場合、消去処理が完了してから蓄積性蛍光体パネルが外部に排出されるまでに長時間を要してしまう。
【０００９】
本発明は、前記の課題に鑑みなされたもので、蓄積性蛍光体パネルの消去処理及び搬送処理を効率的に行うことができる消去方法及び装置を提供することを目的とする。
【課題を解決するための手段】
【００１０】
本発明の消去方法及び装置では、蓄積性蛍光体パネルの少なくとも一方の全面に消去手段を配設し、消去手段を蓄積性蛍光体パネルとともに移動させながら消去光を照射して消去処理を行う。この場合、消去処理が完了した蓄積性蛍光体パネルを直ちに排出することができる。
【００１１】
消去手段は、一対の消去ユニットにより構成し、これらの消去ユニットによって蓄積性蛍光体パネルを挟持搬送しながら消去処理を行うことができる。
【００１２】
また、蓄積性蛍光体パネルを透光性部材からなる搬送ベルトにより搬送し、搬送ベルトを介して消去手段からの消去光を蓄積性蛍光体パネルに照射するようにしてもよい。さらに、搬送ベルトを発光体により構成し、発光体からの消去光を蓄積性蛍光体パネルに照射しながら搬送するようにしてもよい。
【００１３】
なお、透光性部材又は発光体からなる搬送ベルトにより蓄積性蛍光体パネルを搬送しながら消去処理を行う場合、蓄積性蛍光体パネルに対応する範囲でのみ消去手段から消去光を出力させることにより、必要最小限のエネルギによる消去処理を行うことができる。
【発明の効果】
【００１４】
本発明の消去方法及び装置では、蓄積性蛍光体パネルを搬送しながら消去処理を行うことにより、蓄積性蛍光体パネルの搬送に要する時間を有効に活用し、効率的に消去処理を行うことができる。
【発明を実施するための最良の形態】
【００１５】
図１は、本発明の消去方法及び装置が適用される放射線画像情報読取消去装置１０の構成図である。
【００１６】
放射線画像情報読取消去装置１０は、蓄積性蛍光体パネル１２に蓄積記録された放射線画像情報を読み取った後、残存する放射線画像情報又はノイズを消去する機能を有しており、蓄積性蛍光体パネル１２を収納したカセッテ１４が装填されるカセッテ装填部１６と、蓄積性蛍光体パネル１２から放射線画像情報を読み取る読取部１８と、カセッテ装填部１６と読取部１８との間で蓄積性蛍光体パネル１２を搬送する搬送機構２０と、蓄積性蛍光体パネル１２を挟持し、搬送機構２０によって搬送される蓄積性蛍光体パネル１２に対する消去処理を行う一組の消去ユニット２２ａ、２２ｂ（消去手段）とを備える。読取部１８、搬送機構２０及び消去ユニット２２ａ、２２ｂは、ケーシング２４に収納されて構成される。
【００１７】
ここで、蓄積性蛍光体パネル１２としては、例えば、ガラス等の硬質材料からなる支持基板に柱状の蓄積性蛍光体層を蒸着して形成される硬質のパネルを用いることができる。蓄積性蛍光体層は、真空容器内で蓄積性蛍光体を加熱して蒸発させ、これらを支持基板上に付着させる真空蒸着法、スパッタリング法、ＣＶＤ、イオンフレーティング法を用いて形成することができる。このようにして形成される蓄積性蛍光体層は、蓄積性蛍光体が蓄積性蛍光体パネル１２の平面と略垂直な柱状をなし、それぞれが光学的に独立に構成されており、照射される放射線に対して高感度で、且つ、画像の粒状性を低下させることができるとともに、励起光の散乱を減少させて画質を鮮明にすることができる。なお、蓄積性蛍光体パネル１２としては、硬質材料からなる支持基板上に蓄積性蛍光体層を形成したものに限られるものではなく、蓄積性蛍光体をフレキシブルな支持基板に塗布してなる蓄積性蛍光体シートを利用することもできる。
【００１８】
カセッテ装填部１６は、カセッテ１４を載置する載置台２６と、開閉可能な蓋部材２８側からカセッテ１４を挿入する挿入口３０とを備える。挿入口３０の内部には、装填されたカセッテ１４に収納されている蓄積性蛍光体パネル１２のサイズや、蓄積性蛍光体パネル１２に蓄積記録されている放射線画像情報の照射情報等をカセッテ１４に保持された図示しない記憶手段から読み取る読取部３２が配設される。なお、記憶手段としては、例えば、ＲＦＩＤ（Ｒａｄｉｏ  Ｆｒｅｑｕｅｎｃｙ  Ｉｄｅｎｔｉｆｉｃａｔｉｏｎ）システムに代表されるような非接触で情報の読み書きが可能なＩＣチップを利用することができる。
【００１９】
読取部１８は、蓄積性蛍光体パネル１２を副走査方向に搬送するニップローラ３４ａ、３４ｂと、副走査搬送される蓄積性蛍光体パネル１２の主走査方向に励起光Ｌを照射する主走査部３６と、励起光Ｌが照射されることで蓄積性蛍光体パネル１２から出力される放射線画像情報に係る輝尽発光光を受光し、電気信号に変換する上部変換部３８及び下部変換部４０とを備える。
【００２０】
主走査部３６は、励起光Ｌを出力するレーザ発振器４２と、レーザ発振器４２から出力された励起光Ｌを主走査方向に走査するポリゴンミラー４４と、ポリゴンミラー４４により反射された励起光Ｌを蓄積性蛍光体パネル１２に導く反射ミラー４６とを有する。上部変換部３８は、一端部が蓄積性蛍光体パネル１２の上面部に近接配置される集光ガイド４８と、集光ガイド４８の他端部に受光面が装着され、輝尽発光光を電気信号に変換するフォトマチプライア５０とを有し、蓄積性蛍光体パネル１２の上面から放射線画像情報の読み取りを行う。下部変換部４０は、一端部が蓄積性蛍光体パネル１２の下面部に近接配置される集光ガイド５２と、集光ガイド５２の他端部に受光面が装着され、輝尽発光光を電気信号に変換するフォトマチプライア５４とを有し、蓄積性蛍光体パネル１２の下面から放射線画像情報の読み取りを行う。
【００２１】
搬送機構２０は、カセッテ装填部１６から読取部１８まで延在する平行な２条の上部ガイド溝５６及び下部ガイド溝５８と、上部ガイド溝５６に連通し、所定の間隔に設定されて上方向に延在する退避用ガイド溝６０ａ〜６０ｄとを有する。なお、カセッテ装填部１６と搬送機構２０との間、及び、搬送機構２０と読取部１８との間には、蓄積性蛍光体パネル１２を授受するためのローラ６１、６３及び６５が配設される。
【００２２】
一方、上部に配設される消去ユニット２２ａは、図２に示すように、蓄積性蛍光体パネル１２を収納可能な矩形状のケーシング６２の内部に複数の消去光源６４ａ〜６４ｇを配列して構成され、蓄積性蛍光体パネル１２側には、アクリル板６６が配設される。ケーシング６２は、消去光源６４ａ〜６４ｇから出力された消去光を蓄積性蛍光体パネル１２に効率的に照射すべく、内面が鏡面状あるいは白色に形成される。また、アクリル板６６は、ケーシング６２の開口部分よりも消去光源６４ａ〜６４ｇ寄りに配設されることで、蓄積性蛍光体パネル１２を収納する段部６８が形成される。ケーシング６２の上部には、ブラケット７０ａ〜７０ｄを介して車輪７２ａ〜７２ｄが配設される。消去ユニット２２ａは、車輪７２ａ〜７２ｄが上部ガイド溝５６又は退避用ガイド溝６０ａ〜６０ｄに係合して転動することにより、カセッテ装填部１６と読取部１８との間で移動可能であるとともに、上下方向に移動可能である。なお、退避用ガイド溝６０ａ、６０ｂの間隔、及び、退避用ガイド溝６０ｃ、６０ｄの間隔は、消去ユニット２２ａに配設された車輪７２ａ、７２ｂと、車輪７２ｃ、７２ｄとの間隔に等しく設定される。
【００２３】
下部に配設される消去ユニット２２ｂは、矩形状のケーシング７４の内部に複数の消去光源７６ａ〜７６ｇを配列して構成され、蓄積性蛍光体パネル１２側には、アクリル板７８が配設される。ケーシング７４は、消去光源７６ａ〜７６ｇから出力された消去光を蓄積性蛍光体パネル１２に効率的に照射すべく、内面が鏡面状あるいは白色に形成される。アクリル板７８が配設されるケーシング７４の開口部分は、上部の消去ユニット２２ａを構成するケーシング６２の開口部分よりも若干小さく設定されており、ケーシング６２の段部６８に対してケーシング７４が嵌合可能である。ケーシング７４の下部には、ブラケット８０ａ〜８０ｄを介して車輪８２ａ〜８２ｄが配設される。消去ユニット２２ｂは、車輪８２ａ〜８２ｄが下部ガイド溝５８に係合して転動することにより、カセッテ装填部１６と読取部１８との間で移動可能である。
【００２４】
本実施形態の放射線画像情報読取消去装置１０は、基本的には以上のように構成されるものであり、次にその動作について説明する。
【００２５】
放射線画像情報読取消去装置１０では、蓄積性蛍光体パネル１２に記録された放射線画像情報の読取処理が行われた後、消去処理が行われる。放射線画像情報読取消去装置１０への蓄積性蛍光体パネル１２の装填に先立ち、下部に配設される消去ユニット２２ｂは、図３に示すように、カセッテ装填部１６側の部位に配置され、上部に配設される消去ユニット２２ａは、図４に示すように、読取部１８側の部位であって、退避用ガイド溝６０ｃ、６０ｄに沿って上方向に移動させた位置に配置される。
【００２６】
前記の状態に設定された放射線画像情報読取消去装置１０に対して、放射線画像情報が蓄積記録された蓄積性蛍光体パネル１２を収納したカセッテ１４が、蓋部材２８を下としてカセッテ装填部１６の挿入口３０から装填される。
【００２７】
カセッテ装填部１６にカセッテ１４が装填されると、読取部３２がカセッテ１４に保持された図示しない記憶手段から蓄積性蛍光体パネル１２のサイズや放射線画像情報の照射情報等を読み取る。次いで、蓋部材２８のロック状態が解除されて開蓋された後、図示しない吸着盤等によってカセッテ１４から蓄積性蛍光体パネル１２が取り出され、待機する消去ユニット２２ｂ上にローラ６１を介して載置される。
【００２８】
蓄積性蛍光体パネル１２を載置した消去ユニット２２ｂは、下部ガイド溝５８に沿って読取部１８まで移動する。消去ユニット２２ｂが読取部１８まで移動すると、ローラ６５が蓄積性蛍光体パネル１２の上部に当接して回転し、蓄積性蛍光体パネル１２を読取部１８に供給する。
【００２９】
読取部１８では、ニップローラ３４ａ、３４ｂにより副方向に挟持搬送される蓄積性蛍光体パネル１２から放射線画像情報が読み取られる。すなわち、主走査部３６を構成するレーザ発振器４２から出力された励起光Ｌは、ポリゴンミラー４４及び反射ミラー４６を介して蓄積性蛍光体パネル１２の主方向に照射される。励起光Ｌが照射されることで蓄積性蛍光体パネル１２の上面部から出力された放射線画像情報に係る輝尽発光光は、上部に配設された上部変換部３８を構成する集光ガイド４８を介してフォトマチプライア５０に導かれ、電気信号に変換される。また、蓄積性蛍光体パネル１２を透過して下面部から出力された放射線画像情報に係る輝尽発光光は、下部に配設された下部変換部４０を構成する集光ガイド５２を介してフォトマチプライア５４に導かれ、電気信号に変換される。上部変換部３８及び下部変換部４０によって変換された電気信号は、所定の比率で加算されることにより、所望の放射線画像情報が得られる。
【００３０】
放射線画像情報の読み取られた蓄積性蛍光体パネル１２は、ニップローラ３４ａ、３４ｂ及びローラ６５によって搬送され、待機する消去ユニット２２ｂ上に載置される。蓄積性蛍光体パネル１２を載置した消去ユニット２２ｂは、下部ガイド溝５８に沿って消去ユニット２２ａの下部まで移動した後、一旦停止する。次いで、上部の消去ユニット２２ａが退避用ガイド溝６０ｃ、６０ｄに沿って下降することにより消去ユニット２２ｂに係合し、蓄積性蛍光体パネル１２が消去ユニット２２ａ、２２ｂ間に挟持されることになる（図１参照）。
【００３１】
消去ユニット２２ａ、２２ｂは、蓄積性蛍光体パネル１２を挟持した状態で、上部ガイド溝５６及び下部ガイド溝５８に沿ってカセッテ装填部１６側に移動するとともに、消去光源６４ａ〜６４ｇ、７６ａ〜７６ｇを点灯し、アクリル板６６、７８を介して消去光を上下両面から蓄積性蛍光体パネル１２に照射することにより、残存する放射線画像情報又はノイズの消去を行う。
【００３２】
この場合、消去光源６４ａ〜６４ｇ、７６ａ〜７６ｇから出力される消去光の光量は、読取部３２によって事前に取得した放射線画像情報の照射情報、読取部１８によって読み取った放射線画像情報、又は、読取部１８からカセッテ装填部１６までの蓄積性蛍光体パネル１２の搬送時間を考慮して設定する。
【００３３】
蓄積性蛍光体パネル１２を挟持した消去ユニット２２ａ、２２ｂがカセッテ装填部１６側の所定部位に到達すると、消去光源６４ａ〜６４ｇ、７６ａ〜７６ｇを消灯するとともに、消去ユニット２２ａを退避用ガイド溝６０ａ、６０ｂに沿って上方向に移動させる。次いで、消去ユニット２２ｂにより蓄積性蛍光体パネル１２を下部ガイド溝５８の端部まで搬送した後、カセッテ装填部１６に待機するカセッテ１４に対し、ローラ６３、６１を介して蓄積性蛍光体パネル１２を収納する。蓄積性蛍光体パネル１２を収納したカセッテ１４は、蓋部材２８が閉蓋された後、カセッテ装填部１６から取り出され、次の撮影に供せられる。
【００３４】
このように、上述した実施形態では、放射線画像情報が読み取られた蓄積性蛍光体パネル１２がカセッテ装填部１６まで搬送される間の時間を有効に利用し、残存する放射線画像情報又はノイズの消去処理を効率的に行うことができる。
【００３５】
図５は、他の実施形態に係る放射線画像情報読取消去装置９０の構成を示す。なお、図１に示す放射線画像情報読取消去装置１０と同一の構成要素には、同一の参照符号を付し、その詳細な説明を省略する。
【００３６】
放射線画像情報読取消去装置９０は、蓄積性蛍光体パネル１２をカセッテ装填部１６と読取部１８との間で搬送する上部搬送機構９２及び下部搬送機構９４と、上部搬送機構９２及び下部搬送機構９４に組み込まれる消去ユニット９６ａ、９６ｂとを備える。
【００３７】
上部搬送機構９２及び下部搬送機構９４は、両端部がプーリ９８ａ、９８ｂ及び９９ａ、９９ｂにより支持され、消去光を透過させる透光性部材からなる搬送ベルト１００、１０２を備えて構成される。なお、透光性部材としては、例えば、塩化ビニル、ポリエチレン、ポリウレタン、シリコーンゴム、透明フッ素ゴム等を使用することができる。消去ユニット９６ａ、９６ｂは、搬送ベルト１００、１０２の間であって、プーリ９８ａ、９８ｂ及び９９ａ、９９ｂ間に配設され、反射部材としてのケーシング１０４ａ、１０４ｂと、ケーシング１０４ａ、１０４ｂ内に配設される複数の消去光源１０６ａ〜１０６ｉ、１０８ａ〜１０８ｉとを備えて構成される。
【００３８】
以上のように構成される放射線画像情報読取消去装置９０では、カセッテ装填部１６に装填されたカセッテ１４から取り出された蓄積性蛍光体パネル１２が、上部搬送機構９２及び下部搬送機構９４を構成する搬送ベルト１００、１０２により挟持搬送され、読取部１８に供給される。
【００３９】
一方、読取部１８において読取処理が終了した蓄積性蛍光体パネル１２は、再び搬送ベルト１００、１０２により挟持され、カセッテ装填部１６まで搬送される。そして、搬送中において、消去ユニット９６ａ、９６ｂの消去光源１０６ａ〜１０６ｉ、１０８ａ〜１０８ｉから出力された消去光が蓄積性蛍光体パネル１２の両面に照射されることで消去処理が行われる。
【００４０】
この場合、消去処理に際しては、読取部３２により読み取った蓄積性蛍光体パネル１２のサイズ情報に従い、蓄積性蛍光体パネル１２に対向して配置される範囲の消去光源１０６ａ〜１０６ｉ、１０８ａ〜１０８ｉを読取部１８側から順次点灯させる一方、蓄積性蛍光体パネル１２が通過した範囲の消去光源１０６ａ〜１０６ｉ、１０８ａ〜１０８ｉを消灯させることにより、必要最小限の消費電力により放射線画像情報又はノイズの消去処理を行うことができる。
【００４１】
なお、消去光を蓄積性蛍光体パネル１２の上下両面に照射する消去ユニット９６ａ、９６ｂに加えて、図６に示すように、上部搬送機構９２及び下部搬送機構９４の両側部に消去ユニット１１０ａ、１１０ｂを配設し、蓄積性蛍光体パネル１２の上下両面及び両側部から消去光を照射するように構成することで、消去処理を一層確実且つ短時間に完了させることができる。
【００４２】
図７は、さらに他の実施形態に係る放射線画像情報読取消去装置１２０の構成を示す。なお、図５に示す放射線画像情報読取消去装置９０と同一の構成要素には、同一の参照符号を付し、その詳細な説明を省略する。
【００４３】
放射線画像情報読取消去装置１２０は、蓄積性蛍光体パネル１２をカセッテ装填部１６と読取部１８との間で搬送する上部搬送機構１２２及び下部搬送機構１２４を備える。上部搬送機構１２２及び下部搬送機構１２４は、両端部がプーリ９８ａ、９８ｂ及び９９ａ、９９ｂにより支持され、発光体により構成される搬送ベルト１２６、１２８を備えて構成される。発光体としては、例えば、有機ＥＬ（Ｅｌｅｃｔｒｏｌｕｍｉｎｅｓｃｅｎｃｅ）等を使用することができる。この場合、搬送ベルト１２６、１２８は、蓄積性蛍光体パネル１２を搬送する搬送機構として機能するとともに、蓄積性蛍光体パネル１２に残存する放射線画像情報又はノイズを消去する消去手段として機能する。
【００４４】
以上のように構成される放射線画像情報読取消去装置１２０では、カセッテ装填部１６に装填されたカセッテ１４から取り出された蓄積性蛍光体パネル１２が、上部搬送機構１２２及び下部搬送機構１２４を構成する搬送ベルト１２６、１２８により挟持搬送され、読取部１８に供給される。
【００４５】
一方、読取部１８において読取処理の終了した蓄積性蛍光体パネル１２は、再び搬送ベルト１２６、１２８により挟持され、カセッテ装填部１６まで搬送される。そして、搬送中において、発光体である搬送ベルト１２６、１２８から出力された消去光が蓄積性蛍光体パネル１２の両面に照射されることで消去処理が行われる。
【００４６】
この場合、放射線画像情報読取消去装置９０の消去ユニット９６ａ、９６ｂの場合と同様に、蓄積性蛍光体パネル１２のサイズ情報に従い、蓄積性蛍光体パネル１２が当接する範囲の搬送ベルト１２６、１２８からのみ消去光を出力させることにより、必要最小限の消費電力により放射線画像情報及びノイズの消去処理を遂行することができる。
【００４７】
なお、上述した実施形態では、読取部１８から供給された読取処理の終了した蓄積性蛍光体パネル１２を消去処理しながらカセッテ装填部１６に排出するようにしているが、蓄積性蛍光体パネル１２に対する消去処理を行いつつ、蓄積性蛍光体パネル１２を放射線画像情報の記録部に供給する装置に適用することも可能である。この場合、蓄積性蛍光体パネル１２に対する放射線画像情報の記録処理に先だって残存する放射線画像情報やノイズを確実に消去し、良好な状態からなる蓄積性蛍光体パネル１２を記録部に供給することができる。
【図面の簡単な説明】
【００４８】
【図１】本実施形態の放射線画像情報読取消去装置の構成図である。
【図２】図１に示す放射線画像情報読取消去装置における消去ユニットの斜視説明図である。
【図３】図１に示す放射線画像情報読取消去装置における動作説明図である。
【図４】図１に示す放射線画像情報読取消去装置における動作説明図である。
【図５】他の実施形態の放射線画像情報読取消去装置の構成図である。
【図６】図５に示す放射線画像情報読取消去装置における消去ユニットの他の構成の説明図である。
【図７】さらに他の実施形態の放射線画像情報読取消去装置の構成図である。
【符号の説明】
【００４９】
１０、９０、１２０…放射線画像情報読取消去装置
１２…蓄積性蛍光体パネル          １４…カセッテ
１６…カセッテ装填部              １８、３２…読取部
２０…搬送機構
２２ａ、２２ｂ、９６ａ、９６ｂ、１１０ａ、１１０ｂ…消去ユニット
６４ａ〜６４ｇ、７６ａ〜７６ｇ、１０６ａ〜１０６ｉ、１０８ａ〜１０８ｉ…消去光源
９２、１２２…上部搬送機構        ９４、１２４…下部搬送機構
１００、１０２、１２６、１２８…搬送ベルト
【図１】
2006162637.tif 000003
【図２】
2006162637.tif 000004
【図３】
2006162637.tif 000005
【図４】
2006162637.tif 000006
【図５】
2006162637.tif 000007
【図６】
2006162637.tif 000008
【図７】
2006162637.tif 000009